Podtech/llm-jp-corpus-v4-ja_patent huggingface dataset:
(57)【要約】      （修正有）【課題】地震感知器の作動を受けて制御盤の扉を解錠する避難誘導ポール用制御盤の自動解錠システムを提供する。【解決手段】制御盤１の中に地震感知器２を取付け、地震で感知器が作動すると操作盤６の回路を通じソレノイド錠５がバッテリー７の電力により解錠する。解錠後直ちに、制御盤扉８を開きマイクロホン３および懐中電灯４を取り出し緊急放送あるいは救難活動を行う。【選択図】図２
0003144133.tif 000002
【実用新案登録請求の範囲】
【請求項１】
地震発生と同時に、避難誘導ポールに懸架した制御盤扉の自動開錠を行うシステム。
【考案の詳細な説明】
【技術分野】
【０００１】  本考案は、避難誘導ポールの機能の一つであるマイク放送用のマイクロホンを制御盤から取り出す場合、通常は施錠されているので合鍵が必要である。
この地震発生自動開錠システムを必要とする避難誘導ポールは、地震発生と同時にサイレン音・避難場所への誘導音声・ラジオ放送や照明等さまざまな機能が備わっている。その機能の一つにマイク放送機能があり、そのマイクロホンを取り出すには、合鍵で扉を開ける必要がある。緊急時において鍵の持参や手数をかけない等の緊急性を考慮したシステムである。
【背景技術】
【０００２】  地震災害時の人命救助活動や連絡業務は、地域住民の必然的行動である。
避難誘導ポールの制御盤の扉は、通常はいたずら防止等安全のため鍵を掛けておき、容易に開けることができない構造になっている。そのため地震災害時においては、町内会長などの責任者が合鍵を持参しなければ扉を開けることができない。
【考案の開示】
【考案が解決しようとする課題】
【０００３】  そのために次のような問題点を解決する必要があった。
この避難誘導ポールの制御盤内には、もともと音声や照明を起動するために地震感知器が内臓されており、その地震感知器の信号を用いて開錠を行うものとする。
【課題を解決するための手段】
【０００４】  制御盤扉の内側にソレノイド錠を取り付ける。
ソレノイド錠は、地震感知器が作動すると電流が流れてロックが外れる構造になっている。
通常は、合い鍵によって外から鍵を掛けておくが、地震感知器の作動と同時に内部から自動的に開錠するものとする。
【考案の効果】
【０００５】  地震災害時の混乱状態の中においては、平素の訓練がもっとも有効である。中でも一刻を争う人命救助には人々が全力をつくしてあたらなければならない問題である。
そこで、スピーカーによる拡声装置を駆使し、緊急招集やあるいは危険回避放送等々いろいろな目的に使用するためマイクロホンの有用性を考えると災害時こそ使用可能な状態に置かなければならないことは言うまでないことである。
ただし、常に使用可能な状態に置いておくことは、いたずら等により肝心なときに使用不可能となる可能性が十分に考えられるので地震感知と同時に開錠することが有効と考えられる。
【考案を実施するための最良の形態】
【０００６】  以下、本考案の実施形態を説明する。
扉を開錠して地震と同時にマイクロホンを取り出せるようにすることは、人命救助活動に貢献できることはもちろんのこと制御盤内部の空きスペースを利用して災害時に必要な懐中電灯や医薬品を保管しておくことも可能であり、更にその効果を発揮するものと考えられる。
【実施例】
【０００７】  本案の自動解錠システムは、ソレノイド錠に地震感知器が作動して電気を通じると電磁コイルに電流が流れて電磁石の力で錠を外す方法である。従って制御盤の扉は、平時は常に施錠された状態であるが、地震後直ちにハンドルを回すだけで開くことが可能である。
【図面の簡単な説明】
【０００８】
【図１】  本考案の模式図
【図２】  本考案の構造図
【符号の説明】
【０００９】  １  制御盤
２  地震感知器
３  マイクロホン
４  懐中電灯
５  ソレノイド錠
６  操作板
７  バッテリー
８  制御盤扉
0003144133.tif 000003
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
地震発生と同時に、避難誘導ポールに懸架した制御盤扉の自動開錠を行うシステム。
【手続補正２】
【補正対象書類名】図面
【補正対象項目名】全図
【補正方法】追加
【補正の内容】
【図１】
0003144133.tif 000004
【図２】
0003144133.tif 000005
【手続補正書】
【提出日】平成20年2月20日(2008.2.20)
【手続補正１】
【補正対象書類名】実用新案登録請求の範囲
【補正対象項目名】全文
【補正方法】変更
【補正の内容】
【実用新案登録請求の範囲】
【請求項１】
避難誘導ポールに懸架された制御盤の扉を通常は合い鍵を用いて解錠と施錠を行うが、制御盤内に取り付けた避難誘導ポールの機能の一つである地震感知器の地震感知信号を、制御盤扉の電気錠に送り地震発生と同時に制御盤の扉の錠を解いて、合い鍵を用いずに扉を開けることが可能とするシステムである。
電気錠の構造は、ソレノイドを利用したシリンダー型一般市販製品のものを使用するものとする。
ソレノイドへの電源は、避難誘導ポールの動力に必要なバッテリーから取り出し電気錠に供給するものとする。
【手続補正書】
【提出日】平成20年5月12日(2008.5.12)
【手続補正１】
【補正対象書類名】実用新案登録請求の範囲
【補正対象項目名】全文
【補正方法】変更
【補正の内容】
【実用新案登録請求の範囲】
【請求項１】
制御盤内に取り付けた避難誘導ポールの機能の一つである地震感知器の地震感知信号を、制御盤扉の電気錠に送り地震発生と同時に制御盤の扉の錠を解いて合い鍵を用いずに扉を開けることが可能とするシステム。
【請求項２】
電気錠の構造は、ソレノイドを利用した一般市販製品のものを使用するシステム。
【請求項３】
開錠する電源は、避難誘導ポールの動力に必要なバッテリーから取り出し電気錠に供給するシステム。
(57)【要約】      （修正有）【課題】暗闇の深海中にて効果的に魚を誘い出して抜群の集魚性で効率よい漁が得られる水中ライトを提供する。【解決手段】水中ライト２０により明るく且つ広い範囲を照らせるために凹形円錐レンズで形成するＬＥＤ豆電球３と、また当該ＬＥＤ豆電球３の発する光線を更に明るく且つ広く照らすために水中ライト２０の先端に多数個のピラミッド状と縦長プリズム付き透明キャップ１４と、を装着することによって、暗闇の海中にて当該ＬＥＤ豆電球３の発する光線の照らす方向は水中ライト２０の前方１８と横方向１９のほぼ全方向に照らすため、四方の方向にいる全ての魚の注意を誘い呼び寄せることが可能になる。【選択図】図５
0003144139.tif 000002
【実用新案登録請求の範囲】
【請求項１】
夜中の漁に於いて魚を誘うのに使用される水中ライトで、暗闇の海中にてより明るく且つ広くそして効果的に周囲を照らし多方向からよりたくさんの魚を集めるために、上記水中ライトに本考案の凹形円錐レンズを備えたＬＥＤ豆電球を用いることと、また上記凹形円錐レンズを備えたＬＥＤ豆電球の発する光線を更に明るく且つ広く拡散して照らすために本考案の表面に多数個のピラミッド状と縦長プリズム状を有する透明キャップの併用と、を特徴とする水中ライト。
【考案の詳細な説明】
【考案の詳細な説明】
【考案が解決しようとする課題】
【０００１】    図１で示す従来の水中ライト１は、図２で示す従来のＬＥＤ豆電球２を用いるため、図１で示すように当該水中ライト１の発する光線は前方にしか照らさなく、且つ照らす面積も狭く集魚性が悪くて、暗闇の海中で前方以外の方向にいる魚の注意を引いたり、誘ったりすることが難しく、せっかく高額の燃費と時間と体力を費やしたにも関わらず漁の効率がとっても悪く、収穫がよくない。
【考案が解決するための手段】
【０００２】    そこで、上記水中ライト１により明るく且つ広い範囲を照らせるために、図３で示すような凹形円錐レンズ５で形成するＬＥＤ豆電球３と、当該水中ライト１の先端に本考案の多数個のピラミッド状と縦長プリズム状の透明キャップ１４と、を装着することによって、暗闇の海中にて当該ＬＥＤ豆電球３の発する光線の照らす方向は図５で示す本考案の水中ライト２０のように前方１８と横方向１９のほぼ全方向に照らすため、四方の方向にいる全ての魚の注意を誘い呼び寄せることを可能にした。
【実施例】
【０００３】    図３のＬＥＤ豆電球３には凹形円錐レンズ５を用いるため、当該ＬＥＤ豆電球３のＬＥＤデバイス８から発する光源の照らす方向は上記凹形円錐レンズ５によって前方１８と横方向１９とのほぼ全方向に照らすことが可能になり、暗闇の深海中にて効果的に魚を誘い出して抜群の集魚性で効率的よい漁が得られるために水中ライト２０に装着した。また、暗闇の海中にて当該ＬＥＤ豆電球３の発する光線を更に明るく且つ広く拡散して照らすために、図７で示す本考案の透明キャップ１４を併用し、当該透明キャップ１４の表面に多数個のピラミッド状と縦長プリズムとを設けてある。
【考案の効果】
【０００４】    よって、水中ライト２０に凹形円錐レンズ５を用いるＬＥＤ豆電球３を装着し、また透明キャップ１４を併用することによって、暗闇の深海中にて当該水中ライト２０から照らす光線は前方１８と横方向１９とほぼ全方向に照らすことが可能になり、従来のＬＥＤ豆電球２を用いる水中ライト１よりも抜群の集魚性を発揮し、たくさんの魚を誘い出すことを実現し、良い釣り成果を得られた。
【図面の簡単な説明】
【図１】  従来水中ライト１を示す図である。
【図２】  従来半円弧レンズ装着ＬＥＤ豆電球２を示す図である。
【図３】  本考案の凹形円錐レンズ５を用いるＬＥＤ豆電球３を示す図である。
【図４】  ＬＥＤ豆電球３の構造図である。
【図５】  本考案の水中ライト２０の照らす方向を示す図である。
【図６】  本考案の透明キャップ１４の平面図である。
【図７】  本考案の透明キャップ１４の立体図である。
【図８】  従来ＬＥＤ豆電球２を用いる水中ライト１の海中にての照らす状況を示す略図である。
【図９】  本考案ＬＥＤ豆電球３を用いる水中ライト２０の海中にての照らす状況を示す略図である。
【符号の説明】
１  水中ライト
２  従来ＬＥＤ豆電球
３  本考案のＬＥＤ豆電球
４  円弧形レンズ
５  凹形円錐レンズ
６  水中ライト本体
７  従来水中ライト透明キャップ
８  ＬＥＤデバイス
９  金線
１０  ＬＥＤデバイス８の装着アイランド
１１  導電リード
１２  電池
１３  回転サルカン
１４  本考案の水中ライト透明キャップ、多数個の縦長プリズムとピラミッド形状付き
１５  透明キャップ１４のピラミッド
１６  透明キャップ１４の縦長プリズム
１７  ＬＥＤ豆電球２光線の照らす方向
１８  ＬＥＤ豆電球３光線の前方照らす方向
１９  ＬＥＤ豆電球３光線の横照らす方向
２０  本考案の水中ライト
【図１】
0003144139.tif 000003
【図２】
0003144139.tif 000004
【図３】
0003144139.tif 000005
【図４】
0003144139.tif 000006
【図５】
0003144139.tif 000007
【図６】
0003144139.tif 000008
【図７】
0003144139.tif 000009
【図８】
0003144139.tif 000010
【図９】
0003144139.tif 000011
【手続補正書】
【提出日】平成20年5月12日(2008.5.12)
【手続補正１】
【補正対象書類名】実用新案登録請求の範囲
【補正対象項目名】全文
【補正方法】変更
【補正の内容】
【実用新案登録請求の範囲】
【請求項１】
夜中の漁に於いて魚を誘うのに使用される水中ライトで、暗闇の海中にてより明るく且つ広くそして効果的に周囲を照らし多方向からよりたくさんの魚を集めるために、上記水中ライトに凹形円錐レンズを備えたＬＥＤ豆電球を用いることと、また上記凹形円錐レンズを備えたＬＥＤ豆電球の発する光線を更に明るく且つ広く拡散して照らすために表面に多数個のピラミッド状と縦長プリズム状とを有する透明キャップの併用と、を特徴とする水中ライト。
(57)【要約】【課題】  安全な歩行と走行、健康の増進、運動時の力の継続と速度の継続を実現する。【解決手段】  羊蹄型中敷きの使用により指先の感覚が地面、雪面等の環境を正確に把握でき、さらに、指の独立運動により歩行、走行動作を円滑にする、スポーツその他運動においては、動作が正確となり、より高い速度、より大きな力を発揮できる。【選択図】図１
0003144137.tif 000002
【実用新案登録請求の範囲】
【請求項１】
足袋の形状にて親指と人差し指の間に切れ込みの入った、先の割れた羊蹄型中敷き。
【考案の詳細な説明】
【技術分野】
【０００１】  本考案は履き物と指先の違和感を解消し、歩行及び走行時の足の運びを円滑にする補助機具である。
【背景技術】
【０００２】  一定の形状にて歩行及び走行時の指の運動は限定された。
【考案が解決しようとする課題】
【０００３】  安全な歩行と走行の促進。
【０００４】  運動時の力を集中させスポーツと技能労働に貢献する。
【０００６】  指先を中心とする足裏からの正確な上行性神経により歩行、走行に不安を持つ人々の身体能力と心に貢献する。
【課題を解決する為の手段】
【０００７】  上記の目的を達成するために、本考案羊蹄型中敷きは、従来の一定の形状に足袋型の切れ込みを入れる事により親指と人差し指中指等の交互運動により安全な歩行と走行を実現する。
【０００８】  運動時の力を継続させる、羊蹄型中敷きは指の交互運動によりスポーツ、技能労働の足裏感覚を運動に伝える。
【０００９】  指先を中心とする足裏からの正確情報は上行性神経により脳に至る、脳はこの環境において最適な歩行又は走行技術を大脳新皮質運動野、小脳より選択し指令をだす、歩行、走行に不安を持つ人々に歩く楽しさ、走れる喜びを感じていただける。
【考案の実施形態】
【００１０】  履き物底部に敷き中敷きとして使用する。
【考案の効果】
【００１１】本考案は、次に記載する効果を実現する。
本考案、羊蹄型中敷きは、指の独立運動を実現し高度身体能力の発現に貢献する。
【００１２】  本考案、羊蹄型中敷きは、指の力を集中させ瞬発的身体能力の発現に貢献する。
【図面の簡単な説明】
【００１３】
【図１】図１は羊蹄型中敷きの表面である、親指と人差し指の間に切れ込みが入る事により指の運動が独立する。
【図２】図２は羊蹄型中敷きに足を乗せスポーツをする仮想図である、運動動作に順応した指の運動独立を実現する。
【図１】
0003144137.tif 000003
【図２】
0003144137.tif 000004
(57)【要約】      （修正有）【課題】商品の個性的付加価値を表現でき、販売訴求力に富む表示ラベルを提供する。。【解決手段】色とりどりの和紙を何枚も重ね合わせることによって生じた凸凹した和紙は、立体感が出る。そのような凸凹した和紙の上に手書きで商品名を書き込むことによってオリジナル性が生まれ、付加価値が高まる。ラベルは一枚々が手作りで制作されことから、オリジナル性に富み付加価値の高いラベルとなり、売り上げアップに繋がる。【選択図】図１
0003144148.tif 000002
【実用新案登録請求の範囲】
【請求項１】
色とりどりの和紙を何枚も貼り合わせることによって凸凹感を出し、その凸凹した和紙の上に手書きで商品名を書いた商品名表示ラベル。
【考案の詳細な説明】
【技術分野】
【０００１】  この考案は、色とりどりの和紙を何枚も重ね合わせることによって凸凹状になった和紙を使用した商品名表示ラベルである。
【背景技術】
【０００２】  従来の商品名表示ラベルは、ほとんど平面的普通紙に商品名が印刷されたものが用いられている。
【考案の開示】
【考案が解決しようとする課題】
【０００３】  そのために次のような問題点があった。
平面的な普通紙に、大量に印刷した、商品名の表示ラベルでは、商品の個性的付加価値が表現できず、販売訴求力に欠ける。本考案は以上の問題点を解決するためになされたものである。
【課題を解決するための手段】
【０００４】  色とりどりの和紙を何枚も重ね合わせることによって凸凹状の和紙が生まれ、それによって立体感のある商品名を表示するラベルができる。立体感のある和紙の上に手書きで商品名を書いた商品名表示ラベルである。
【考案の効果】
【０００５】  絵画のような凸凹した立体感のある和紙の上に手書きで商品名を書くことによって独特な付加価値が生まれ、それによって販売アップに繋がり、説得力のある商品表示ラベルとなるのである。
【考案を実施するための最良の形態】
【０００６】  以下本考案の実施の形態について説明する。
色とりどりの和紙（１−ａ）（１−ｂ）を一枚々糊で重ね合わせていく。重ね合わせていくことによって凸凹状態（１−ａ）（１−ｂ）が生じ、それによって立体感のあるラベルが誕生するのである。立体感のあるラベル上（１−ａ）（１−ｂ）に商品名を手書き（２−ａ）（２−ｂ）で書き込むことによって、付加価値の高いラベル（１−ａ）（１−ｂ）が生まれる。
【図面の簡単な説明】
【０００７】
【図１】本考案の左右側面図
【図２】本考案の使用状態を示す説明図
【符号の説明】
【０００８】  １−ａ，上部ラベル
１−ｂ，中央ラベル
２−ａ，手書きの商品名
２−ｂ，手書きの商品名
【図１】
0003144148.tif 000003
【図２】
0003144148.tif 000004
【手続補正書】
【提出日】平成20年5月22日(2008.5.22)
【手続補正１】
【補正対象書類名】図面
【補正対象項目名】図２
【補正方法】変更
【補正の内容】
【図２】
0003144148.tif 000005
(57)【要約】      （修正有）【課題】切削抵抗を減らし、切削粉を出しやすくすることで切削スピードをあげることができるダイヤモンド切削チップを提供する。【解決手段】ダイヤモンド切削チップの内側にあさりを設け切削道の幅を広げて、ダイヤモンド切削チップ身の摩擦を少なくし、切削粉を出やすいようにすることで効率の良い切削が得られる。内側あさり寸法は０，５ｍｍ程度が望ましい。【選択図】図４
0003144150.tif 000002
【実用新案登録請求の範囲】
【請求項１】
本考案は、ダイヤモンドコアの先端部に溶着されているダイヤモンド切削チップに設けられ、内側にあさりを設けた形状を有するダイヤモンド切削チップ。
【考案の詳細な説明】
【技術分野】
【０００１】本考案は、コンクリート切削工具に使用するダイヤモンド切削チップに関する。
【背景技術】
【０００２】ダイヤモンド切削チップの切削抵抗を減らし、切削粉を出しやすくすることで切削スピードを上げることが出来る。
【考案の開示】
【考案が解消しようとする課題】
【０００３】ダイヤモンドコアの切削は、回転しながらダイヤモンド切削チップ内側面とコンクリートが擦れ合うことによって、摩擦が発生しコアードリルの力が損なわれで切削スピードが上がらない。切削粉の排出が出来ないと目詰まりを起こし切削できなくなる。ダイヤモンド切削チップは、高価なためライフを長く使いたい。
【課題を解決するための手段】
【０００４】そこで、ダイヤモンド切削チップの内側にあさりを設ける。
【考案の効果】
【０００５】  ダイヤモンド切削チップの内側にあさりを設け切削道の幅を広げて、ダイヤモンド切削チップ身の摩擦を少なくし、切削粉を出やすいようにすることで効率の良い切削が得られる。
【考案を実施するための最良の形態】
【０００６】ダイヤモンド切削チップの内側あさり寸法は、０．５ｍｍ程度。
【図面の簡単な説明】
【０００７】
【図１】ダイヤモンドコアードリル側面図
【図２】ダイヤモンドコア側面図
【図３】切削におけるダイヤモンドコア断面図
【図４】本考案ダイヤモンド切削チップ図
【符号の説明】
【０００８】１      ダイヤモンドコアードリル本体
２      ダイヤモンドコア
３      コンクリート
４      ダイヤモンド切削チップ
５      ダイヤモンド切削チップ内側面
６      ダイヤモンド切削チップ上部
７      ダイヤモンド切削チップ下部
Ａ      歯振寸法
Ｂ      ダイヤモンド切削チップ下部厚み寸法
【図１】
0003144150.tif 000003
【図２】
0003144150.tif 000004
【図３】
0003144150.tif 000005
【図４】
0003144150.tif 000006
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンド切削チップの内側にあさりを設けた形状を有するダイヤモンド切削チップ。
(57)【要約】      （修正有）【課題】目詰まりを起こさず本来の切削が持続でき、切削スピードが向上してコストダウンできるダイヤモンドコアシャンクを提供する。【解決手段】各ダイヤモンド切削チップが溶着しているコアシャンク先端部に個々の流体取入口を設けることで流体の流れを促進させ冷却効果を上げる事でダイヤモンド切削チップは、目詰まりを起こさず本来の切削が持続でき、コストダウンもできる。【選択図】図３
0003144149.tif 000002
【実用新案登録請求の範囲】
【請求項１】
本考案は、ダイヤモンド切削チップが溶着しているコアシャンク先端部に設けられ、各ダイヤモンド切削チップ間に流体が取入できる開口部を有するダイヤモンドコア。
【考案の詳細な説明】
【技術分野】
【０００１】本考案は、コンクリート切削工具に使用するダイヤモンドコアに関する。
【背景技術】
【０００２】従来のダイヤモンドコアは、流体の流れが悪いため冷却効果が少ない。
【考案の開示】
【考案が解消しようとする課題】
【０００３】ダイヤモンド切削チップに含まれるダイヤの粒子で、コンクリートの研削を行ない、ダイヤモンド切削チップも削られ、新しいダイヤの粒子によってコンクリートの研削が持続できる。しかし冷却を行う流体の流れが悪いと、ダイヤモンド切削チップが削れにくく、目詰まりしてコンクリート研削が出来なくなる。切削できなくなったダイヤモンド切削チップは、摩擦熱が上昇し焼けて切削としての機能を失う。
【課題を解決するための手段】
【０００４】そこで、コアシャンク先端部に流体取入口を設けることで流体の流れを促進させ冷却効果を上げる。
【考案の効果】
【０００５】  冷却を行う流体の流を促進できれば、目詰まりを起こさず本来の切削が持続でき、切削スピードが向上しコストダウンが出来る。
【考案を実施するための最良の形態】
【０００６】各ダイヤモンド切削チップが溶着しているコアシャンク先端部に、取入角度を４５度の切込みを入れて個々の流体取入口を設ける。
【図面の簡単な説明】
【０００７】
【図１】  ダイヤモンドコアードリル側面図
【図２】  切削におけるダイヤモンドコア断面図
【図３】  本考案のダイヤモンドコア側面図
【図４】  本考案のダイヤモンドコア正面図
【図５】  流体吸入口
【符号の説明】
【０００８】１      ダイヤモンドコアードリル本体
２      コアシャンク
３      コンクリート
４      ダイヤモンド切削チップ
５      流体取入口
６      流体の流れ
７      コア中心点
Ａ      流体取入口角度
【図１】
0003144149.tif 000003
【図２】
0003144149.tif 000004
【図３】
0003144149.tif 000005
【図４】
0003144149.tif 000006
【図５】
0003144149.tif 000007
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、ダイヤモンド切削チップ間に流体が取入できるようにダイヤモンド切削チップが溶着しているコアシャンク先端部に設けられ、四角形状の開口部を有するコアシャンク。
(57)【要約】      （修正有）【課題】新規で斬新な意匠と格好の良いデザインのズボンを提供する。【解決手段】布生地と色の異なる長ズボンと半ズボンを合体し、ウイスト周りに伸縮自在のゴムを入れてちぐはぐズボンに縫製、其の半ズボンの裾から、３〜５センチパンツの裾がはみ出て見えるように、帯び状の布地を半ズボンの裏側に固着形成した、パンツ裾付きちぐはぐズボン。なお、長ズボンの膝部にも穴を開口する多彩な組み合わせで構成する。【選択図】図１
0003144144.tif 000002
【実用新案登録請求の範囲】
【請求項１】
（イ）  長ズボン（１）と半ズボン（２）を縫製する。
（ロ）  ウイスト（３）に伸縮自在のゴムをいれて縫製する。
（ハ）  半ズボン（２）の下部（４）の内側周囲にパンツの裾生地（５）を係止縫製する。
以上のごとく構成されたパンツ裾付きちぐはぐズボン。
【請求項２】
長ズボン（１）と半ズボン（２）の生地と色を夫々変更した、請求項１のパンツ裾付きちぐはぐズボン。
【請求項３】
長ズボン（１）の適選個所に穴（６）を開口した、請求項１のパンツ裾付きちぐはぐズボン。
【考案の詳細な説明】
【技術分野】
【００１】  この考案は、半ズボンの裾から、パンツの裾生地が外観からはっきり見えるパンツ裾付きちぐはぐズボンに関するものである。
【背景技術】
【００２】  従来、長ズボンと中ズボンを組み合わせた介護用ファスナー付きズボンがあったが、半ズボンとの合体は無く、近年の若者が欲する新規な意匠による格好の良い組み合わせのちぐはぐズボンがあったらとの要望があつた。
特に、其の要望が斬新なデザイン意匠の声が多く聞かれた。
【考案が解決しようとする課題】
【００３】  これにはつぎのような課題があった。
まず、多くの若い青年層からのアイデアは、意外とシンプルで、穴を開けた長ズボンと色違いの半ズボンを合体させた痴愚接ぐズボンの要望であつた。
【００４】尚、長ズボン（１）と半ズボン（２）を合体して成るちぐはぐズボンの構成において、半ズボン（２）の裾下部（４）から、パンツの裾生地（５）が、外観から観察確認できるパンツ裾付きちぐはぐズボンの要望が多くきかれた。
【００５】  尚また、本考案の構成において、パンツ裾付きちぐはぐズボンが、腰からずれ落ちない様にウイスト（３）に安定ようのゴムを装着して欲しいとの声が大であった。
そこで、本考案は、以上の夫々の課題を解決し完成させるためになされたものである。
【課題を解決するための手段】
【００６】  （イ）長ズボン（１）と半ズボン（２）を縫製する。
（ロ）ウイスト（３）に伸縮自在のゴムを入れて縫製する。
（ハ）半ズボン（２）の下部（４）の内側周囲にパンツの裾生地（５）を係止縫製する。
（ニ）長ズボン（１）の適選個所に穴（６）を開口する。
（ホ）長ズボン（１）と半ズボン（２）の生地と生地の色を夫々変更して組み合わせる。
以上の構成より成るパンツ裾付きちぐはぐズボンである。
【考案の効果】
【００７】  （イ）片方の膝にあたらないため、膝に負担がかからない。
（ロ）空気の肌触りがわかりやすく、夏は暑さが逃げて涼しい。
（ハ）足の線が見えるので、かっこうが良い。
（ニ）色違い、生地違えで完成する本案のちぐはぐズボンは、ズボンの長さも違う、タンパンの下からパンツが見えて、若者達のかっこう良さと、ストレス解消になる。
（ホ）リサイクルの素材を活用して、近代若者層に喜んでもらえる多種多様のパンツ裾付きちぐはぐズボンの提供。
（ヘ）長ズボンの適選個所に穴を開口した半ズボンとの縫合による本考案のパンツ裾付きちぐはぐズボンは、半ズボンとの合体で、今までに無い、癒し、感性と喜びを、使用する皆に与えることができる。
【考案を実施するための最良の状態】
【００８】  以下、本考案の実施例を図面１、図面２と共に説明する。
実施例１、本考案のパンツ裾付きちぐはぐズボンの第１実施例は、図１の斜視図で示す長ズボン（１）と半ズボン（２）をちぐはぐ状に成形して縫製する。次に、ウイスト周り（３）に伸縮自在のゴムを挿入した帯状の生地を、成形縫製したズボンに合体縫製する。次に、図２の斜視図で示す半ズボン本体（２’）の下部（４）の内側周囲にパンツの裾生地（５）を裾内部（７）で示す如くに、半ズボンの裾内側の全周囲に裾幅最小５センチ以上の生地を縫製固着して完成させたパンツ裾付きちぐはぐズボン。
【００９】実施例２、本考案のパンツ裾付きちぐはぐズボンの第２実施例は、図１、図２の斜視図で示す長ズボン（１）と半ズボン（２）、の生地と色を夫々変更し、半ズボン本体（２’）の下部（４）の内側周囲にパンツの裾生地（５）の色彩を多種多様にデザインし、夫々必要に応じて脱着が可能となるようにマジックテープ（商標）を装着した実施例１記載のパンツ裾付きちぐはぐズボン。
【０１０】実施例３、本考案のパンツ裾付きちぐはぐズボンの第３実施例は、図１の斜視図で示す長ズボン（１）の適選個所（膝の周囲）に穴（６）を適選｛多種の形状｝に開口して成る実施例１記載のパンツ裾付きちぐはぐズボン。
【０１１】  なお、本考案のパンツ裾付きちぐはぐズボンは、実施例１、実施例２、実施例３で示す実施内容から、其の構成の組み合わせ方により、近年の若者世代が希望する新規で斬新な意匠による格好の良いズボン「ちぐはぐズボン」の要望に添える製品を世に提供できる。
【図面の簡単な説明】
【０１２】
【図１】  本考案の斜視図である。
【図２】  本考案の半ズボン裾内部の斜視図である。
【符号の説明】
【０１３】    １  長ズボン
２  半ズボン
２’半ズボン本体
３  ウエスト周り
４  下部
５  パンツの裾生地
６  穴
７  裾内部
８  脇ポケット
【図１】
0003144144.tif 000003
【図２】
0003144144.tif 000004
【手続補正書】
【提出日】平成20年5月20日(2008.5.20)
【手続補正１】
【補正対象書類名】実用新案登録請求の範囲
【補正対象項目名】全文
【補正方法】変更
【補正の内容】
【実用新案登録請求の範囲】
【請求項１】
（イ）長ズボン（１）１本分の股上部分と半ズボン（２）１本分の股上部分を縫い合わせて縫製する。
（ロ）ウエスト周り（３）に伸縮自在のゴムをいれて縫製する。
（ハ）半ズボン（２）の下部（４）の内側周囲にパンツの裾生地（５）を係止縫製する。
以上のごとく構成されたパンツ裾付きちぐはぐズボン。
【請求項２】
長ズボン（１）と半ズボン（２）の生地と色を夫々変更した、請求項１のパンツ裾付きちぐはぐズボン。
【請求項３】
長ズボン（１）の適選個所に穴（６）を開口した、請求項１のパンツ裾付きちぐはぐズボン。
【手続補正２】
【補正対象書類名】明細書
【補正対象項目名】００９
【補正方法】変更
【補正の内容】
【００９】実施例２、本考案のパンツ裾付きちぐはぐズボンの第２実施例は、図１、図２の斜視図で示す長ズボン（１）と半ズボン（２）、の生地と色を夫々変更し、半ズボン本体（２’）の下部（４）の内側周囲にパンツの裾生地（５）の色彩を多種多様にデザインし、夫々必要に応じて脱着が可能となるようにマジックテープ（登録商標）を装着した実施例１記載のパンツ裾付きちぐはぐズボン。
(57)【要約】      （修正有）【課題】夜等、自動車の夜間灯は赤でありブレーキランプも赤であるので見分けがつかない時もある、前車の状況を一瞬に判断できる表示機を提供する。【解決手段】ブレーキペダルを踏むと自動車の後部の任意の所にブレーキ又はブレーキ踏む又は制動又は制動中又は接するな、又は近づくな又はノーキス、危ない、赤ん坊寝てます、ストップ減速中、ペダル踏む、ブレーキペダル踏む等の文字を点灯させる。前方自動車の状況が文字により発信するので後方の自動車の運転手がすぐに判断できる。【選択図】図１
0003144142.tif 000002
【実用新案登録請求の範囲】
【請求項１】
自動車の後部の任意の所にブレーキペダルを踏むと任意の文字を点灯させてブレーキペダルを踏んでいる事を後方車の運転者が感じられる文字で知らせる事を特徴とした後方車に文字で知らせる合図。
【請求項２】
文字を任意の国の文字に替えて文字を点灯させる事を特徴とした請求項１、記載の後方車に文字で知らせる合図。
【請求項３】
ブレーキペダルを踏むとその国の文字と他の何個国かの文字が任意の間隔により交互に点灯される事を特徴とした請求項１、２記載の後方車に文字で知らせる合図。
【請求項４】
文字欄を複数設けて１つはその国の文字で点灯し、他欄は何個国かの各各の国の文字を任意の時の間隔を設けて順番に文字が点灯される事を特徴とし請求項１、２、３記載の後方車に文字で知らせる合図。
【請求項５】
任意の文字欄に任意の国の文字で任意の時の間隔を設けて点灯させる事を特徴とした請求項１、２、３、４記載の後方車に文字で知せる合図。
【請求項６】
ブレーキ及びブレーキの意味に感じる文字及びストップ及びストップの意味に感じる文字を順次点灯する事を特徴とした請求項１、２、３、４、５記載の後方車に文字で知らせる合図。
【請求項７】
ブレーキ及びブレーキの意味に感じる文字及びストップ及びストップの意味に感じる文字を縦及び斜めにした事を特徴とした請求項１、２、３  ４、５、６記載の後方車に文字で知らせる合図。
【考案の詳細な説明】
【技術分野】
【０００１】自動車のブレーキペダルを踏むと後方車に自動車のスピードを落している事を知らせる手段に関する事である。
【背景技術】
【０００２】ブレーキペダルを踏むと自動車のブレーキランプが点灯していた。
【考案の開示】
【考案が解決しようとする課題】
【０００３】夜等、自動車の夜間灯は赤でありブレーキランプも赤であるので見分けがつかない時もある、前車の状況を１瞬に判断出来るようにする。
【課題を解決するための手段】
【０００４】ブレーキペダルを踏むと自動車の後部の任意の所にブレーキ又はブレーキ踏む又は制動又は制動中又は接っするな、又は近ずくな又はノーキス、危ない、赤ん坊寝てます、ストップ減速中、ペダル踏む、ブレーキペダル踏む等の文字
文字を点灯させる
【効案の効果】
【０００５】前自動車の状況が文字により発信するので後方の自動車の運転者がすぐに判断できるので後方の自動車の運転者がブレーキペダルを踏むのが遅くならない。
【考案を実施するための最良の形態】
【０００６】日本等は、自動車のブレーキペダルを踏むとその自動車の後部の上部又は下部あたりにブレーキ中の文字を赤色で点灯すれば良いと思う。
【実施例】
【０００７】文字は発光ダイオード、液晶、赤レーザー、プラズマ、有機ＥＬ、ガラス又は透明な材質の中側に色電球、ネオン、ガラス又は透明な材質の内側に色フィルムを設けてその内側に光源を設けるもの。等がある。
文字の色は赤が良いと思う。文字は縦、横、斜にする。
【産業上の利用分野】
【０００８】自動車産業
【図面の簡単な説明】
【０００９】
【図１】文字欄が１個の自動車の後ろ姿
【図２】文字欄が複数の自動車の後ろ姿
【符号の説明】
【００１０】文字欄      １、３、４
自動車の後ろ姿  ２、
【図１】
0003144142.tif 000003
【図２】
0003144142.tif 000004
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
自動車の後部の任意の所にブレーキペダルを踏むとの文字を点灯させてブレーキペダルを踏んでいる事を後方車の運転者が感じられる文字で知らせる事を特徴とした後方車に文字で知らせる表示機。
【請求項２】
文字を任意の国の文字に替えて文字を点灯させる事を特徴とした請求項１、記載の後方車に文字で知らせる表示機。
【請求項３】
ブレーキペダルを踏むとその国の文字と他の何個国かの文字が任意の間隔により交互に点灯される事を特徴とした請求項１、２記載の後方車に文字で知らせる表示機。
【請求項４】
文字欄を複数設けて１つはその国の文字で点灯し、他欄は何個国かの各各の国の文字を任意の時の間隔を設けて順番に文字が点灯される事を特徴とし請求項１、２、３記載の後方車に文字で知らせる表示機。
【請求項５】
任意の文字欄に任意の国の文字で任意の時の間隔を設けて点灯させる事を特徴とした請求項１、２、３、４記載の後方車に文字で知せる表示機。
【請求項６】
ブレーキ及びブレーキの意味に感じる文字及びストップ及びストップの意味に感じる文字を順次点灯する事を特徴とした請求項１。２、３、４、５記載の後方車に文字で知らせる表示機。
【請求項７】
ブレーキ及びブレーキの意味に感じる文字及びストップ及びストップの意味に感じる文字を縦及び斜めにした事を特徴とした請求項１、２、３  ４、５、６記載の後方車に文字で知らせる表示機。
(57)【要約】      （修正有）【課題】片手で急須の把手を握りふたが落ちないよう親指でしっかりつまみを押さえ、やけどをしないようお茶を注ぐことができる急須のふたを提供する。【解決手段】急須のふたのつまみの位置を現状の中央から片手で把手を握り無理なく親指が届く位置にずらすことにより、しっかりつまみを押さえられるようになる。【選択図】図１
0003144162.tif 000002
【実用新案登録請求の範囲】
【請求項１】
急須の円形のふたのつまみの位置をふたの中央から偏心させた位置にずらすことを特徴とする急須のふた。
【考案の詳細な説明】
【技術の分野】
急須のふたのつまみは中央にあるという現状のつまみの位置に関するものである。
【背景技術】急須のふたのつまみは中央にあり、両手でお茶を注ぐには十分であるが、片手で把手を握り親指でつまみを押さえるにはつまみの位置が遠く、人差し指で押さえながらでは注ぎづらい欠点がある。また、つまみでないふたを押さえたとしたら湯の温度が指に伝わり熱くてやけどをしてしまうこともある。
【考案の開示】
【考案が解決しようとする課題】問題点は片手で把手を握り親指でつまみを押さえるためには把手からつまみまでの距離が長い点である。
【課題を解決するための手段】つまみの位置を現状の中央から片手で把手を握り無理なく親指が届く位置にずらす。
【考案の効果】つまみの位置を把手寄りにずらすことにより、親指でつまみをしっかり押さえられるのでやけどをすることなく片手でお茶を注げられるようになる効果がある。またお茶を最後まで注ぎきるため急須の傾きを急にしてもしっかりつまみを押さえることができるので、ふたが落ちる危険もなくなる。
【考案を実施するための最良の形態】急須のふたのつまみの位置を現状の中央から把手を握り親指が無理なく届く位置にずらした形。
【産業上の利用可能性】現状の急須本体とふたの大きさや形に変化の必要はなく、つまみの位置をずらすことで本考案の効果を得られる利点があるので量産化は可能である。
【図面の簡単な説明】
【図１】急須全体を上から見た説明図である。
【符号の説明】
１  急須本体
２  急須のふた
３  つまみ
４  把手
５  注ぎ口
【図１】
0003144162.tif 000003
(57)【要約】      （修正有）【課題】自動車変速レバーの操作性を向上させる事を目的とする自動車変速レバー大型補助板を提供する。【解決手段】自動車変速レバー１に追加装着する自動車変速レバー大型補助板２。確実な固定を行う為、自動車変速レバー大型補助板２の設置部を自動車変速レバー１形状に合わせ窪ませる。確実な固定を行う為、設置部の上部に折り返し爪４を設ける。自動車変速レバー大型補助板の設置部に両面テープ及び接着剤を用いて自動車変速レバー１を固定する。自動車変速レバーはステアリングコラム５左右に装備されているので、自動車変速レバー大型補助板２は左右対称の形状にて製作する。【選択図】図４
0003144168.tif 000002
【実用新案登録請求の範囲】
【請求項１】
下記（イ）（ロ）（ハ）（ニ）（ホ）の特徴を有した自動車変速レバー大型補助板（２）
（イ）自動車変速レバー（１）に追加装着する自動車変速レバー大型補助板（２）。
（ロ）確実な固定を行う為、自動車変速レバー大型補助板（２）の設置部（３）を自動車変速レバー（１）形状に合わせ窪ませる。
（ハ）確実な固定を行う為、設置部（３）の上部に折り返し爪（４）を設ける。
（ニ）確実な固定を行う為、自動車変速レバー大型補助板の設置部（３）に両面テープ及び接着剤を用いて自動車変速レバー（１）を固定する。
（ホ）自動車変速レバーはステアリングホイール基部（５）左右に装備されているので、自動車変速レバー大型補助板（２）は左右対称の形状にて製作する。
【考案の詳細な説明】
【技術分野】
【０００１】本考案は、自動車変速レバーの操作性を向上させる事を目的とする自動車変速レバー大型補助板に関する物である。
【背景技術】
【０００２】従来、オートマチック車両には、自動車変速レバーをステアリングホイール基部に装備している物があった。
【考案の開示】
【考案が解決しようとする課題】
【０００３】これらには次のような問題点があった。
（イ）その構造上、自動車変速レバーは比較的小型に成形されており、実際の変速操作時、自動車変速レバーに指が届かない事がある。
（ロ）小型であるが故、自動車変速レバーはステアリングホイールの陰に隠れ、運転者から見えにくく、正確な操作には慣れが必要である。
本考案はこれらの問題点を取り除く為になされたものである。
【課題を解決するための手段】
【０００４】（イ）動車変速レバー（１）に追加装着する自動車変速レバー大型補助板（２）。
（ロ）実な固定を行う為、自動車変速レバー大型補助板（２）の設置部（３）を自動車変速レバー（１）形状に合わせ窪ませる。
（ハ）確実な固定を行う為、設置部（３）の上部に折り返し爪（４）を設ける。
（ニ）自動車変速レバー大型補助板の設置部（３）に両面テープ及び接着剤を用いて自動車変速レバー（１）を固定する。
（ホ）自動車変速レバーはステアリングホイール基部（５）左右に装備されているので、自動車変速レバー大型補助板（２）は左右対称の形状にて製作する。
【考案の効果】
【０００５】（イ）自動車変速レバーが大型化されることによって変速操作が行いやすくなる。
（ロ）自動車変速レバーが大型化されることによって運転者から自動車変速レバーが見えやすくなり、操作しやすくなる。
【考案を実施するための最良の形態】
【０００６】以下本考案の実施例について説明する。
（イ）自動車変速レバー（１）に追加装着する自動車変速レバー大型補助板（２）。
（ロ）確実な固定を行う為、自動車変速レバー大型補助板（２）の設置部（３）を自動車変速レバー（１）形状に合わせ窪ませる。
（ハ）確実な固定を行う為、設置部（３）の上部に折り返し爪（４）を設ける。
（ニ）自動車変速レバー大型補助板の設置部（３）に両面テープ及び接着剤を用いて自動車変速レバー（１）を固定する。
（ホ）自動車変速レバーはステアリングコラム（５）左右に装備されているので、自動車変速レバー大型補助板（２）は左右対称の形状にて製作する。
【図面の簡単な説明】
【０００７】
【図１】本考案の装着正面図である。
【図２】本考案の正面図である。
【図３】本考案の裏面図である。
【図４】本考案の装着裏面図である。
【図５】本考案装着前の自動車変速レバー正面図である。
【符号の説明】
【０００８】１  自動車変速レバー
２  自動車変速レバー大型補助板
３  設置部
４  折り返し爪
５  ステアリングコラム
６  ステアリングホイール基部
【図１】
0003144168.tif 000003
【図２】
0003144168.tif 000004
【図３】
0003144168.tif 000005
【図４】
0003144168.tif 000006
【図５】
0003144168.tif 000007
(57)【要約】      （修正有）【課題】テスターに関して、１対のテストリード線を片手で同時に測定位置に接触しなければならない不便さを解消した、安全で取扱いが容易なテスターを提供する。【解決手段】テスター本体に取り付けられたテストリード棒は可動式で、手動操作にて本体に出し入れできる機構とし、他方のテストリード線は本体のスプリング駆動の回転ドラムに巻きつける。テストリード線の一方をテスター本体に着装することで、両手での同時操作を可能とし、また他方のテストリード線を本体に収納することで、保管時の便利性が向上した。【選択図】図１
0003144163.tif 000002
【実用新案登録請求の範囲】
【請求項１】
金属棒、絶縁棒がセットになったテストリード線の片方を本体に取り付けたことを特徴とするテスター
【請求項２】
他方のテストリード線を本体に収納することを特徴とする請求項１記載のテスター
【考案の詳細な説明】
【技術分野】
【０００１】本考案は、安全で、取扱が容易なテスターに関するものである。
【背景技術】
【０００２】従来のテスターは、電気回路や電気部品の手軽な測定器として実用に共されている。【０００３】しかし、現場など机が無い場所や狭い空間で使用する場合は、片手でテスター本体を持ち、もう一方の手で１対のテストリード線を２箇所の測定部に同時に接触しなければならず取扱が容易ではない。また保管時はテストリード線がお互いに絡まない様に整列して保管しなければならず、手軽に出し入れ出来ないという欠点があった。【０００４】手軽な電気測定の用途において、この欠点は操作性、安全性に関して大きな障害である。具体的には、現場での高電圧等の測定において、片手操作の手ぶれ、あるいは集中の分散による感電事故など問題点があった。また保管時はテストリード線を整列して保管しなければならず取扱が不便であった。
【考案の開示】
【考案が解決しようとする課題】
【０００５】１対のテストリード線を片手で同時に測定位置に接触しなければならない。
また保管時テストリード線を整列しなければならず、取扱が不便な点である。
【課題を解決するための手段】
【０００６】本考案は、テストリード棒の一方を本体に装着し、他方のテストリード線を本体に収納することを主要な特徴とするテスターである。
【考案の効果】
【０００７】第１考案、第２考案のテスターは、両手でテストリード線を個々に操作でき１対の接触対象に簡単に接触でき、また容易に保管できるという利点である。
【考案を実施するための最良の形態】
【０００８】テスター本体に取り付けられたテストリード棒は可動式で、手動操作にて本体に出し入れできる機構とし、他方のテストリード線は本体のスプリング駆動の回転ドラムに巻きつけて、使用時は本体より引き出して使用することで、操作性の向上を実現した。
図１はこの方法による両手操作の測定形態を示すための説明図でる。
図２は、収納式テスターの詳細図である。図２−３ｅは収納ドラムで内部にスプリングが組み込まれていて、スプリングの力でドラムが回転する様になっている。
【図面の簡単な説明】
【０００９】
【図１】テスターの両手による操作方法を示した説明図である。（実施例１）
【図２】テスターの実現方法を示した詳細図である。（実施例２）
【符号の説明】
【００１０】ａ    テスト棒引き出しノブ
ｂ    テストリード線引き出しノブ
ｃ    裏蓋装着テストリード棒
ｄ    巻取り用スプリングコイル
ｅ    回転ドラム
ｆ    テストリード線
【図１】
0003144163.tif 000003
【図２】
0003144163.tif 000004
(57)【要約】      （修正有）【課題】用紙を指定のサイズに容易に且つ正確にカットするプレートを提供する。【解決手段】アクリルプレートの裏面に硬質ゴムの厚みより少し浅めの溝を施し、硬質ゴムの裏面に両面テープを貼り、溝に嵌め込み接着したアクリルプレートの裏面を下にして、用紙の上に置き、指で軽く押さえる事により滑らず、容易且つ正確にカットする事が出来る。【選択図】図１
0003144161.tif 000002
【実用新案登録請求の範囲】
【請求項１】
アクリル板の裏面に滑り止めゴムを施したカッティングプレート
【考案の詳細な説明】
【考案の詳細の説明】
【技術分野】
【０００１】本考案は、用紙を容易に正確に指定のサイズにカットする際のプレートに関する分野である。
【背景技術】
【０００２】従来は用紙を指定のサイズにカットする際、スケール等を当てがいカッターナイフ等でカットしていた。従ってスケールが滑ったり動いたりして正確に容易にカットする事は困難であった。
【考案が解決しようとする課題】
【０００３】本考案は、用紙を容易に正確に指定のサイズにカットするカッティングプレートを提供することである。
【課題を解決するための手段】
【０００４】上記課題に対し、アクリルプレートの裏面に硬質ゴムを接着する事により、アクリルプレートが滑らず、動かずに用紙を容易、正確にカット出来る事を見出した。
【０００５】アクリルプレートの裏面に硬質ゴムの厚さより少し薄めの溝を２箇所施し、両面テープ付の硬質ゴムを嵌め込み接着する事により、アクリルプレートの滑りを防ぎ、プレートと用紙を密着出来る。
【０００６】アクリルプレートは透明又はノングレアの３ｍｍ〜５ｍｍ厚が良い。
【０００７】アクリルプレートのサイズは通常、名刺、ハガキ、ポストカード、システムノート、Ａ５、Ｂ５、Ａ４、Ｌ、２Ｌ、六つ切判である。Ｂ４、Ａ３、四つ切判以上も可能である。
【実施例】
【０００８】アクリルプレートの裏面の２箇所の溝に硬質ゴムを接着した。（図１、図２、図３）
【考案の効果】
【０００９】実施例において、用紙の上にアクリルプレートを裏面を下にして置き、指で指定のサイズのアクリルプレートを軽く押さえながら、用紙をカッターナイフでプレートに当てながら全周を切り込み、指定サイズの用紙にカットした。用紙は容易且つ正確に指定サイズにカットされた。（図４）
【図面の簡単な説明】
【図１】は、本考案のカッティングプレートの概略図である。
【図２】は、上記カッティングプレートの裏面である。
【図３】は、上記の側面図である。
【図４】は作業例である。
【図５】はカッティングプレートを使用しカットされた用紙。
【符号の説明】
１    カッティングプレート
２    滑り止め用硬質ゴム
３    用紙
４    カッターナイフ
【図１】
0003144161.tif 000003
【図３】
0003144161.tif 000004
【図４】
0003144161.tif 000005
【図５】
0003144161.tif 000006
【手続補正書】
【提出日】平成20年6月16日(2008.6.16)
【手続補正１】
【補正対象書類名】図面
【補正対象項目名】全図
【補正方法】変更
【補正の内容】
【図１】
0003144161.tif 000007
【図２】
0003144161.tif 000008
【図３】
0003144161.tif 000009
【図４】
0003144161.tif 000010
【図５】
0003144161.tif 000011